【手続補正書】
【提出日】平成24年11月9日(2012.11.9)
【手続補正１】
【補正対象書類名】特許請求の範囲
【補正対象項目名】全文
【補正方法】変更
【補正の内容】
【特許請求の範囲】
【請求項１】
複数の色のそれぞれにそれぞれ対応する複数の記録材を付与することにより記録媒体に画像を形成するための画像処理を行う画像処理装置であって、
カラーチャートデータに基づいて印刷されたカラーチャートの測定結果、および前記カラーチャートに対応する目標値を取得する取得手段と、
前記測定結果および前記目標値に基づいて、前記画像を形成するために用いる前記複数の記録材の混合バランスを調整するための第１補正データの変更の要否と、前記画像を形成するために用いる前記複数の記録材それぞれの付与量を調整するための第２補正データの変更の要否と、を決定する決定手段と、を備える
ことを特徴とする画像処理装置。
【請求項２】
前記第１補正データは、第１の色空間で表されるデータを第２の色空間で表されるデータに変換するためのカラープロファイルである
ことを特徴とする請求項１に記載の画像処理装置。
【請求項３】
前記決定手段が前記第１補正データの変更が必要であることを決定した場合には前記第１補正データを生成し、前記決定手段が前記第２補正データの変更が必要であることを決定した場合には前記第２補正データを生成する生成手段をさらに備える
ことを特徴とする請求項１または２に記載の画像処理装置。
【請求項４】
前記決定手段は、前記測定結果と前記目標値との色差を示す値が第１の値以上の場合には、前記第１補正データの変更が必要であることを決定し、前記色差を示す値が前記第１の値よりも小さい第２の値以上、且つ、前記第１の値未満の場合には、前記第２補正データの変更が必要であることを決定する
ことを特徴とする請求項１から３のいずれか１項に記載の画像処理装置。
【請求項５】
前記決定手段は、前記色差を示す値が前記第１の値以上の場合には、前記第２補正データの変更が不要であることを決定し、前記色差を示す値が前記第２の値以上、且つ、前記第１の値未満の場合には、前記第１補正データの変更が不要であることを決定する
ことを特徴とする請求項４に記載の画像処理装置。
【請求項６】
前記決定手段は、前記色差を示す値が前記第２の値未満の第３の値の場合には、前記第１補正データの変更及び前記第２補正データの変更のいずれもが不要であることを決定する
ことを特徴とする請求項４または５に記載の画像処理装置。
【請求項７】
前記取得手段は、前記カラーチャートに含まれる複数のパッチのそれぞれに対応する前記測定結果および前記目標値を取得し、
前記決定手段は、前記複数のパッチそれぞれに対応する前記色差を示す値のうち少なくとも１つが前記第１の値以上である場合には、前記第１補正データの変更が必要であることを決定する
ことを特徴とする請求項４から６のいずれか１項に記載の画像処理装置。
【請求項８】
前記色差を示す値は、Ｌａｂ値である
ことを特徴とする請求項４から７のいずれか１項に記載の画像処理装置。
【請求項９】
前記色差を示す値は、前記測定結果に対応する分光特性および前記目標値に対応する分光特性の各波長における反射率の差の絶対値を全波長に渡って加算した値である
ことを特徴とする請求項４から７のいずれか１項に記載の画像処理装置。
【請求項１０】
前記色差を示す値は、前記測定結果に対応する分光特性および前記目標値に対応する分光特性の各波長における反射率の差の絶対値のうちの最大値である
ことを特徴とする請求項４から７のいずれか１項に記載の画像処理装置。
【請求項１１】
前記色差を示す値は、前記測定結果に対応する分光特性において反射率が最大となる波長と、前記目標値に対応する分光特性において反射率が最大となる波長との差である
ことを特徴とする請求項４から７のいずれか１項に記載の画像処理装置。
【請求項１２】
前記カラーチャートを測定する測定手段を更に備える
ことを特徴とする請求項１から１１のいずれか１項に記載の画像処理装置。
【請求項１３】
複数の色のそれぞれにそれぞれ対応する複数の記録材を付与することにより記録媒体に画像を形成するための画像処理を行う画像処理方法であって、
カラーチャートデータに基づいて印刷されたカラーチャートの測定結果および前記カラーチャートに対応する目標値を取得する取得工程と、
前記測定結果および前記目標値に基づいて、前記画像を形成するために用いる前記複数の記録材の混合バランスを調整するための第１補正データの変更の要否と、前記画像を形成するために用いる前記複数の記録材それぞれの付与量を調整するための第２補正データの変更の要否と、を決定する決定工程と、を備える
ことを特徴とする画像処理方法。
【請求項１４】
前記第１補正データは、第１の色空間で表されるデータを第２の色空間で表されるデータに変換するためのカラープロファイルである
ことを特徴とする請求項１３に記載の画像処理方法。
【請求項１５】
前記決定工程において前記第１補正データの変更が必要であることを決定した場合には前記第１補正データを生成し、前記決定工程において前記第２補正データの変更が必要であることを決定した場合には前記第２補正データを生成する生成工程をさらに備える
ことを特徴とする請求項１３または１４に記載の画像処理方法。
【請求項１６】
前記決定工程において、前記測定結果と前記目標値との色差を示す値が第１の値以上の場合には、前記第１補正データの変更が必要であることを決定し、前記色差を示す値が前記第１の値よりも小さい第２の値以上、且つ、前記第１の値未満の場合には、前記第２補正データの変更が必要であることを決定する
ことを特徴とする請求項１３から１５のいずれか１項に記載の画像処理方法。
【請求項１７】
前記決定工程において、前記色差を示す値が前記第１の値以上の場合には、前記第２補正データの変更が不要であることを決定し、前記色差を示す値が前記第２の値以上、且つ、前記第１の値未満の場合には、前記第１補正データの変更が不要であることを決定する
ことを特徴とする請求項１６に記載の画像処理方法。
【請求項１８】
前記決定工程において、前記色差を示す値が前記第２の値未満の第３の値の場合には、前記第１補正データの変更及び前記第２補正データの変更のいずれもが不要であることを決定する
ことを特徴とする請求項１６または１７に記載の画像処理方法。
【請求項１９】
前記取得工程において、前記カラーチャートに含まれる複数のパッチのそれぞれに対応する前記測定結果と前記目標値を取得し、前記決定工程において、前記複数のパッチそれぞれに対応する前記色差を示す値のうち少なくとも１つが前記第１の値以上である場合には、前記第１補正データの変更が必要であることを決定する
ことを特徴とする請求項１６から１８のいずれか１項に記載の画像処理方法。
【請求項２０】
請求項１３から１９のいずれか１項に記載の画像処理方法の各工程を実行する
ことを特徴とするプログラム。
【手続補正２】
【補正対象書類名】明細書
【補正対象項目名】００１２
【補正方法】変更
【補正の内容】
【００１２】
上記課題を解決するため、本発明の一態様による画像処理システムは、複数の色のそれぞれにそれぞれ対応する複数の記録材を付与することにより記録媒体に画像を形成するための画像処理を行う画像処理装置であって、カラーチャートデータに基づいて印刷されたカラーチャートの測定結果、および前記カラーチャートに対応する目標値を取得する取得手段と、前記測定結果および前記目標値に基づいて、前記画像を形成するために用いる前記複数の記録材の混合バランスを調整するための第１補正データの変更の要否と、前記画像を形成するために用いる前記複数の記録材それぞれの付与量を調整するための第２補正データの変更の要否と、を決定する決定手段と、を備えることを特徴とする。
【手続補正３】
【補正対象書類名】明細書
【補正対象項目名】発明の名称
【補正方法】変更
【補正の内容】
【発明の名称】画像処理装置、画像処理方法及びプログラム